(57)【要約】【課題】送風特性に優れ、低騒音の空気調和機を提供する。【解決手段】室内ユニット（図示せず）内を仕切り板２で、熱交換器１０を収納し吹き出し口１３を有する熱交換器室４と、吸い込み口５を有する送風機室３とに仕切り、前記送風機室３内にシロッコファン６を内装したファンケーシング７と、前記シロッコファン６を駆動するモータ８を配し、前記ファンケーシング７の吸い込み側の側板９を前記ファンケーシング７よりも大きく形成したもので、吸い込み口５からの吸い込み空気の流れがよりファンケーシング７の吸い込み側の側板９に沿うようになって、シロッコファン６に流入することにより、ファンの特性が向上し、空気調和機の性能を向上させることができる。【選択図】図１
2006078046.tif 000002
【特許請求の範囲】
【請求項１】
室内ユニット内を仕切り板で、熱交換器を収納し吹き出し口を有する熱交換器室と、吸い込み口を有する送風機室とに仕切り、前記送風機室内にシロッコファンを内装したファンケーシングと、前記シロッコファンを駆動するモータを配し、前記ファンケーシングの吸い込み側の側板を前記ファンケーシングよりも大きく形成したことを特徴とする空気調和機。
【請求項２】
ファンケーシングの吸い込み側の側板を前記吸い込み口側へ大きく延設した請求項１に記載の空気調和機。
【請求項３】
ファンケーシングの吸い込み側の側板に吸音材を用いた請求項１又は２に記載の空気調和機。
【請求項４】
ファンケーシングの吸い込み側の側板に多孔質材料を用いた請求項１又は２に記載の空気調和機。
【発明の詳細な説明】
【技術分野】
【０００１】
本発明は、空気調和機に関するもので、特に分離型の空気調和機の室内ユニットに関するものである。
【背景技術】
【０００２】
従来の、この種の空気調和機の室内機としては、例えば、図６、７に示すような構成が一般的であった（例えば、特許文献１参照）。
【０００３】
図６は、従来の空気調和機の室内機の断面図、図７は、図６のＡ−Ａ断面図である。図において、熱交換器２１と送風機２２とドレンパン２３が室内ユニット３４の外箱２４の内部に装着されている。前記送風機２２は、モータ２２ａとシロッコファン２２ｂとケーシング２２ｃより構成されており、前記外箱２４にはＬ字型の吊り金具２５ａ、２５ｂが固着されていて、吊りボルト２６ａ、２６ｂ、ナット２７ａ、２７ｂ、２７ｃ、２７ｄによって梁２８等に吊り下げられており、室内ユニット３４の吸い込み部２９と吹き出し部３０を有するグリル３１が天井３２に合わせて装着され、前記外箱２４は天井内３３に設置されている。
【０００４】
上記構成により、モータ２２ａが駆動すると、前記吸い込み部２９から前記送風機２２に吸い込まれた空気は前記熱交換器２１を通過し、熱交換されて前記吹き出し部３０より室内へ吹き出されるようになっている。
【特許文献１】特公平６−８２００６号公報
【発明の開示】
【発明が解決しようとする課題】
【０００５】
しかしながら、前記従来の空気調和機の構成では、室内空気が室内ユニット３４の吸い込み部２９から送風機２２のケーシング２２ｃに至る際に、図７に示すように、吸込み部２９とケーシング２２ｃに間隔があり、そのため吸い込み部２９を通った空気がケーシング２２ｃの吸い込み側の側板２２ｄにうまく沿わず、剥離したり、衝突したりする空気の流れが生じていた。
【０００６】
そのため、シロッコファン２２ｂの風量が低下したり、ファン効率が悪化したり、ファン騒音が大きくなるという課題を有していた。
【０００７】
本発明は、上記従来の課題を解決するもので、吸い込み空気の流れをよりケーシングの吸い込み側の側板に沿わせて、シロッコファンへ流入させることにより、ファンの特性を向上させた空気調和機を提供することを目的とするものである。
【課題を解決するための手段】
【０００８】
前記従来の課題を解決するために、本発明の空気調和機は、室内ユニット内を仕切り板で、熱交換器を収納し吹き出し口を有する熱交換器室と、吸い込み口を有する送風機室とに仕切り、前記送風機室内にシロッコファンを内装したファンケーシングと、前記シロッコファンを駆動するモータを配し、前記ファンケーシングの吸い込み側の側板を前記ファンケーシングよりも大きく形成したもので、吸い込み口からの吸い込み空気の流れがよりファンケーシングの吸い込み側の側板に沿うようになって、シロッコファンに流入することにより、ファンの特性が向上し、空気調和機の性能を向上させることができる。
【発明の効果】
【０００９】
本発明の空気調和機は、吸い込み空気の流れをよりケーシングの吸い込み側の側板に沿わせて、流れの剥離や衝突を低減させ、ファンの効率を向上させたり、騒音を低減させたりすることができる。
【発明を実施するための最良の形態】
【００１０】
第１の発明は、室内ユニット内を仕切り板で、熱交換器を収納し吹き出し口を有する熱交換器室と、吸い込み口を有する送風機室とに仕切り、前記送風機室内にシロッコファンを内装したファンケーシングと、前記シロッコファンを駆動するモータを配し、前記ファンケーシングの吸い込み側の側板を前記ファンケーシングよりも大きく形成したもので、吸い込み口からの吸い込み空気の流れがよりファンケーシングの吸い込み側の側板に沿うようになって、シロッコファンに流入することにより、ファンの特性が向上し、空気調和機の性能を向上させることができる。
【００１１】
第２の発明は、特に、第１の発明のファンケーシングの吸い込み側の側板を前記吸い込み口側へ大きく延設したもので、吸い込み口からの直接の吸い込み空気の流れをコンパクトにファンケーシングの吸い込み側の側板に沿わせて、シロッコファンへ流入させることにより、ファンの特性を向上させることができる。
【００１２】
第３の発明は、特に、第１又は第２の発明のファンケーシングの吸い込み側の側板に吸音材を用いたもので、吸い込み音やシロッコファンの回転騒音を低減することができ、より低騒音な空気調和機を提供することができる。
【００１３】
第４の発明は、特に、第１又は第２の発明のファンケーシングの吸い込み側の側板に多孔質材料を用いたもので、流れの圧力脈動を抑えることができ、よりシロッコファンの低騒音化を実現することができる。
【００１４】
以下、本発明の実施の形態について、図面を参照しながら説明する。なお、本実施の形態によって本発明が限定されるものではない。
【００１５】
（実施の形態１）
図１は、本発明の第１の実施の形態における空気調和機の断面図、図２は、図１のＢ−Ｂ断面図である。
【００１６】
図１において、１は空調機本体で、この本体１の内部は、仕切り板２によって、送風機室３と熱交換器室４とに区画されている。送風機室３は、吸い込み口５と、シロッコファン６を内装したファンケーシング７と、前記シロッコファン６を駆動するモータ８を具備している。ファンケーシング７の吸い込み側にはファンケーシング７より大きい側板９が取り付けられている。仕切り板２には、ファンケーシング７の出口７ａと熱交換器室４とを連通する連通口２ａが設けられている。
【００１７】
熱交換器室４内には、側板（図示せず）に支持された熱交換器１０と、その下部にドレンパン１１を具備している。空調機本体１の前面には、吹き出される空気の向きを変更する風向変更装置１２を備えた吹き出し口１３を構成している。
【００１８】
以上のように構成された空気調和機の動作、作用は以下の通りである。
【００１９】
モータ８の駆動により、室内の空気は吸い込み口５からファンケーシング７の吸い込み側の側板９に沿って、ファンケーシング７内に流入し、シロッコファン６によって昇圧され、その後、ファンケーシング７の出口７ａから吹き出され、連通口２ａ、熱交換器１０を通過し、熱交換されて風向変更装置１２に沿って、吹き出し口１３から再び室内へ送り出される。
【００２０】
その際、図２に示すように、ファンケーシング７の吸い込み側の側板９がファンケーシング７より大きく、吸い込み口５からの空気の流れが切れにくく、よりファンケーシング７の側板９に沿ってシロッコファン６へ流入しやすい為、低騒音でかつ送風効率の良い送風回路を実現することができる。
【００２１】
（実施の形態２）
図３は、本発明の第２の実施の形態における空気調和機の断面図を示すものである。なお、上記第１の実施の形態と同一部分については、同一符号を付してその説明を省略する。
【００２２】
上記第１の実施の形態では、側板９の大きさを、吸い込み口５側及び反吸い込み口５側の一部をファンケーシング７より外方に延設させて確保するようにしたが、本実施の形態では、側板９の吸い込み口５側を吸い込み口５側へ大きく延設して、必要最小限度の大きさを確保するようにしたもので、簡単な構成で、吸い込み口５からの吸い込み流れを円滑にファンケーシング７内へ流入させることができ、コンパクトでかつ効率の良い送風回路を実現することができる。
【００２３】
（実施の形態３）
図４は、本発明の第３の実施の形態における空気調和機の要部断面図を示すものである。なお、上記実施の形態と同一部分については、同一符号を付してその説明を省略する。
【００２４】
本実施の形態は、ファンケーシング７の吸い込み側の側板９に吸音材９ａを用いるもので、吸い込み音やシロッコファン６の回転騒音を低減することができ、より低騒音な空気調和機を提供することができる。なお、吸音材９ａは側板９の一部に用いても良い。
【００２５】
（実施の形態４）
図５は、本発明の第４の実施の形態における空気調和機の要部断面図を示すものである。なお、上記実施の形態と同一部分については、同一符号を付してその説明を省略する。
【００２６】
本実施の形態では、側板９に多孔質材料９ｂを用いるようにしたもので、吸い込みまたは吹き出しの流れの圧力脈動を抑えることができ、よりシロッコファン６の低騒音化を実現することができる。なお、多孔質材料９ｂは側板９の一部に用いても良い。
【産業上の利用可能性】
【００２７】
以上のように、本発明の空気調和機は、ファンケーシングの吸い込み側の側板によって、吸い込み空気の流れがよりファンケーシングの側板に沿うようになって、シロッコファンに流入するので、ファンの特性を向上させることができるもので、空気調和機関連に限らず、遠心ファンを用いた様々な機器の用途にも適用できる。
【図面の簡単な説明】
【００２８】
【図１】本発明の実施の形態１における空気調和機の断面図
【図２】図１のＢ−Ｂ断面図
【図３】本発明の実施の形態２における空気調和機の断面図
【図４】本発明の実施の形態３における空気調和機の要部断面図
【図５】本発明の実施の形態４における空気調和機の要部断面図
【図６】従来の空気調和機の室内機の断面図
【図７】図６のＡ−Ａ断面図
【符号の説明】
【００２９】
１  空調機本体
２  仕切り板
３  送風機室
４  熱交換器室
５  吸い込み口
６  シロッコファン
７  ファンケーシング
８  モータ
９  側板
１０  熱交換器
１３  吹き出し口
【図１】
2006078046.tif 000003
【図２】
2006078046.tif 000004
【図３】
2006078046.tif 000005
【図４】
2006078046.tif 000006
【図５】
2006078046.tif 000007
【図６】
2006078046.tif 000008
【図７】
2006078046.tif 000009